(57)【要約】【課題】本発明はＭＰＥＧ符号からオーディオデータをビデオデータと分離して所定個数分がＲＡＭに蓄積されると擬似フレーム同期機能を備える復号部に転送するためのオーディオデータの分離方法，ダミーデータ挿入方法及び復号装置に関し，オーディオデータを復号する際に復号時の遅延を減少させると共に同期を維持することを目的とする。【解決手段】分離されたオーディオデータをユニット単位に一時格納したバッファから読み出して出力し，バッファからの読出しに続いて無効データを一定長だけ出力し，無効データに続いて前記オーディオデータと同じフォーマットのユニット単位のダミーデータを出力し，出力された一連の各データにより転送単位のデータをＲＡＭに蓄積するよう構成する。【選択図】      図１
2004350091.tif 000002
【特許請求の範囲】
【請求項１】
ＭＰＥＧ符号からオーディオデータをビデオデータと分離して所定個数分がＲＡＭに蓄積されると擬似フレーム同期機能を備える復号部に転送するためのオーディオデータの分離方法において，
分離されたオーディオデータをユニット単位に一時格納したバッファから読み出して出力し，
前記バッファからの読出しに続いて無効データを一定長だけ出力し，
前記無効データに続いて前記オーディオデータと同じフォーマットのユニット単位のダミーデータを出力し，
前記出力された一連の各データにより転送単位のデータをＲＡＭに蓄積することを特徴とするオーディオデータの分離方法。
【請求項２】
擬似フレーム同期保護機能をもつ受信部に入力するデータに対し，同期を一時的に外すことを目的として生成したダミーデータと，再同期を行うことを目的として生成したダミーフレームデータの２種類を，フレームデータ間に挿入することを特徴としたダミーデータ挿入方法。
【請求項３】
所定長以上のデータが蓄積された場合に蓄積した所定長のデータを転送する記憶手段と，
該記憶手段から転送されたデータを受信してデコードするデコーダであって，転送されたデータに含まれる所定パターンの検出により，次の所定パターンを検出し，少なくとも連続してｎ回（ｎは２以上の自然数）の該検出を行った場合に該ｎ回目に検出した所定パターンに対応するデータをデコード対象とし，転送されたデータに含まれる所定パターンに対応するデータをデコード対象としないデコーダとを備えた復号装置において，
前記記憶手段に，デコード対象とするデータ間にデコードの対象としないデータを配置して蓄積する際に，デコードの対象としないデータは一部に１つの前記所定のパターンを含み，前記デコーダが，該１つの所定のパターンの検出により次のデコードの対象とするデータの最初の所定パターンの検出を可能とするデータ挿入手段，
を備えたことを特徴とする復号装置。
【発明の詳細な説明】
【０００１】
【発明の属する技術分野】
本発明はオーディオデータの分離方法，ダミーデータ挿入方法及び復号装置に関する。
【０００２】
近年，ＭＰＥＧ（Ｍｏｔｉｏｎ  Ｐｉｃｔｕｒｅ  Ｅｘｐｅｒｔ）−ＣＯＤＥＣの登場や，ＩＰネットワークの普及とそのブロードバンド化などにより，これまでＤＶＤ等の蓄積装置での応用がメインであったＭＰＥＧ等の圧縮方式を使用したマルチメディア通信システムなどが実現されている。蓄積メディアを使用した再生装置と異なり，通信装置では再生遅延時間，特に復号装置（デコーダ）側のオーディオ再生遅延時間をできるだけ減らすことが望まれている。
【０００３】
【従来の技術】
図８は従来のＭＰＥＧデコーダの構成例である。図中，８０はＭＰＥＧデコーダＬＳＩ，８１はＡＶ分離部，８１０は音声データを抽出するオーディオ抽出部，８１１は画像データを抽出するビデオ抽出部，８２はオーディオデコーダ，８２０はバッファ，８３はビデオデコーダ，８４はＳＤＲＡＭ（Ｓｙｎｃｈｒｏｎｏｕｓ  ＤＲＡＭ），８５はオーディオストリームバッファ，８６はビデオストリームバッファである。
【０００４】
図９はオーディオストリームバッファ（図８の８５）の蓄積状態を示す図である。図８の動作を図９を参照しながら説明すると，図８のＭＰＥＧデコーダＬＳＩ８０にはＤＶＤや，ディジタル放送の信号が入力され，ＡＶ分離部８１のオーディオ抽出部８１０とビデオ抽出部８１１においてオーディオ（音声）ストリームとビデオ（画像）ストリームに分離され，ＭＰＥＧデコーダＬＳＩ８０の外部に接続されたＳＤＲＡＭ８４へ出力され，それぞれオーディオストリームバッファ８５とビデオストリームバッファ８６に蓄積される。
【０００５】
オーディオストリームバッファ８５はＦＩＦＯ形式で蓄積されるリングバッファ（書き込みアドレスと読み出しアドレスは，最終アドレスの後に先頭アドレスに戻る）であり，ビデオと分離されたオーディオストリームが，書き込みアドレスはオーディオストリームバッファ８５に順番に蓄積される。オーディオストリームは，エンコード処理単位（一定のＰＣＭサンプル数単位）のＡＡＵ（Ａｕｄｉｏ  Ａｃｃｅｓｓ  Ｕｎｉｔ）が，図９に示すように間をあけることなく詰まって蓄積される。なお，ＡＡＵのサイズはビット速度により異なるが３２Ｋｂｐｓの場合は９６バイトとなる。
【０００６】
このように，ＳＤＲＡＭ８４にバッファリングされたオーディオストリームとビデオストリームは，それぞれＤＭＡ（Ｄｉｒｅｃｔ  Ｍｅｍｏｒｙ  Ａｃｃｅｓｓ）  にてＳＤＲＡＭ８４からＭＰＥＧデコーダＬＳＩ８０に転送し，オーディオデコーダ８２とビデオデコーダ８３でそれぞれデコード処理が行われる。ここで，オーディオのデコード処理に着目すると，ＳＤＲＡＭ８４のオーディオストリームバッファ８５に蓄積しているオーディオストリームは，ＤＭＡでＭＰＥＧデコーダＬＳＩ８０のオーディオデコーダ８２の内部バッファ８２０へデータを転送するが，その転送単位は，ＳＤＲＡＭ８４のバンド幅を有効に使うために，長いデータ量，具体的には例えば５１２バイト等の単位でバースト的に読み込む構成になっている。
【０００７】
このような構成の場合，ＳＤＲＡＭ８４に５１２バイト以上のデータが蓄積されないと，ＤＭＡ転送が行われないため，５１２バイト蓄積する分の遅延時間が必ず発生してしまう。この時の５１２バイトの転送単位を小さくできればよいが，ハードの仕様として固定のＤＭＡ転送サイズとなっており，このハード仕様の場合に，遅延時間を縮小する必要がある。
【０００８】
一方，従来のテレビ電話やディジタルビデオディスク装置等のディジタル画像処理を行う装置で使用される，画像情報の高能率符号化を行う画像符号化装置において，動画像の符号化の際に処理の後段のバッファサイズを最小限とし，バッファのアンダーフロ／オーバーフロが発生すると符号化処理が破綻せずに継続して処理が可能となるように，通常データの間にダミーデータ（無効データ）を挿入する技術が知られている（特許文献１参照）。
【０００９】
【特許文献１】
特開平７−１８４１９６号公報
【００１０】
【発明が解決しようとする課題】
上記の図８，図９に示す技術において，ＳＤＲＡＭにバッファリングされた圧縮符号化されたオーディオストリームを長いデータ量の単位毎にバースト的に転送する場合，ＡＡＵ（オーディオ・アクセス・ユニット）のユニットを多数個蓄積するまで復号部に転送できないため遅延を生じるという問題があった。この遅延時間は，オーディオストリームの符号化ビットレートが高い場合はさほど問題にはならないが，低い場合は無視できない遅延時間となる。例えば，ＭＰＥＧ１−Ａｕｄｉｏのレイヤ２では，最大３９４Ｋｂｐｓまでの符号ビットレートの設定が可能であるが，エンコード処理単位の１フレーム分（２４ｍｓ）の１１５２ＰＣＭサンプルをエンコードしたストリームの単位ＡＡＵのサイズは，３２ｋｂｐｓ時ＡＡＵは９６バイトとなる。この場合，ＤＭＡ転送の起動がかかる５１２バイトの蓄積に，５フレーム分以上のＡＡＵが蓄積されることになり，５×２４ｍｓの１２０ｍｓの遅延時間がかかる計算になる。
【００１１】
この目的のために，上記特許文献１に示すように単に，通常データの間にダミーデータを挿入することが考えられるが，復号する側ではＡＡＵの区切りを正確に検出して（同期をとって）復号を行うことが困難である。
【００１２】
本発明はＭＰＥＧ等で圧縮したオーディオデータを復号する際に復号時の遅延を減少させると共に同期を維持することができるオーディオデータの分離方法，ダミーデータ挿入方法及び復号装置を提供することを目的とする。
【００１３】
【課題を解決するための手段】
図１は本発明の原理構成を示す図である。図中，１０は読出制御部，１１は抽出されたオーディオデータが格納されるＡＡＵバッファ，１２は無効データ発生部，１３はダミーＡＡＵ発生部，１４は選択部である。なお，図１にはオーディオデータとビデオデータを分離して入力され，ＡＡＵバッファ１１にＡＡＵ（オーディオ・アクセス・ユニット）単位でＡＡＵバッファに蓄積されるが，ビデオデータの蓄積に関する構成は図示省略されている。
【００１４】
図２は本発明による無効データとダミーＡＡＵを挿入した信号列の例である。
【００１５】
図１のＡＡＵバッファ１１に１つのＡＡＵデータが格納される。このＡＡＵデータ（オーディオフレーム）は，図２のＡ．に示すようにＡＡＵヘッダａ１とデータａ２とで構成され，ＭＰＥＧ１やＭＰＥＧ２に対応し，ＡＡＵヘッダａ１には同期用の特定のパターン（“ＦＦ”（Ｈ：１６進））が設定されると共に当該データａ１と後続するデータａ２を含むＡＡＵのデータ長（これが分かると，次のＡＡＵのポインタが分かる）が設定されている。
【００１６】
ＡＡＵバッファ１１にＡＡＵデータが格納されると，読出制御部１０の制御により選択部１４に対してＡＡＵバッファ１１の出力を選択する。ＡＡＵバッファ１１からＡＡＵデータが図２のＤ．の▲１▼に示すように読出され，後段のＳＤＲＡＭ（図示省略）へ入力する。このＡＡＵデータ長はヘッダの情報から読出制御部１０で識別でき，ＡＡＵデータの読出しに続いて，読出制御部１０は選択部１４を切替えて無効データ発生部１２からの入力を選択すると共に無効データ発生部１２を駆動する。無効データは図２のＢ．に示すようにオール“０”のような無効データで構成される。
【００１７】
ＡＡＵデータの後に図２のＤ．の▲２▼に示すように無効ＤＭＡが連続して出力されると，続いて読出制御部１０は選択部１４を切替えてダミーＡＡＵ（オーディオフレーム）発生部１３からの入力を選択するよう切替える。ダミーＡＡＵは，図２のＣ．に示すように正常なＡＡＵデータ▲１▼と同じ構成のヘッダｃ１と例えば，オール“１”のダミーデータｃ２とで構成される。こうして図２のＤ．の▲３▼に示すようにダミーＡＡＵが出力される。この後，後続のＡＡＵデータがＡＡＵバッファ１１に格納されているので読出しが行われ，以下，無効データ，ダミーＡＡＵが出力され，後段のＳＤＲＡＭに格納される。
【００１８】
ＡＶ分離部の選択部１４から出力された図２のＤ．に示す信号列は図示省略されたＳＤＲＡＭに格納され，このＳＤＲＡＭから読出されてオーディオ復号部（図示省略）で復号される。その場合，オーディオ複合部では図２のＤ．の▲２▼に示すＡＡＵデータが入力されるとヘッダａ１の特定の先頭パターンを探索する同期外れ状態である。この後，▲２▼に示す無効データが発生すると，  オール“０”であるため同期外れのままで，復号動作を行わない。続いて▲３▼に示すダミーＡＡＵが発生すると特定の先頭パターンが検出されるので同期引き込み状態となる。この時，同期引き込み状態は後方保護段数カウント中であり，ダミーＡＡＵは破棄される。なお，後方保護段数は「１」であり，▲３▼のダミーＡＡＵに続いて次の▲１▼のＡＡＵデータが入力すると，そのヘッダから特定の先頭パターンが２個目として検出されるので，同期状態となりそのデータに対して復号が行われる。このＡＡＵデータの後も▲２▼に無効データ（オール“０”）が発生すると，特定パターンが検出されず直ちに同期外れとなり（前方保護段数は「０」），以下同様の動作が行われる。
【００１９】
【発明の実施の形態】
図３は本発明によるＡＶ分離部を含むＭＰＥＧデコーダの構成を示す図である。図中，１は２〜４の各部を含むＭＰＥＧデコーダ，２はＡＶ分離部，２ａはオーディオ抽出部，２ｂはビデオ抽出部，３はオーディオデコーダ，３０はバッファ，４はビデオデコーダ，５はＳＤＲＡＭ，５０はビデオストリームバッファ，５１はオーディオストリームバッファである。オーディオ抽出部２ａの内部構成は図４に示され，図３中の２１，２３〜２６は図４に示す同一符号の各部と同じである。
【００２０】
図４はＡＶ分離部の実施例の構成である。図中，２０はオーディオＰＥＳ抽出書込制御部，２１はＡＡＵバッファ（図１の１１と同じ），２２はＡＡＵ読出・ダミー挿入制御部（図１の１０に対応），２３は選択部（ＳＥＬで表示，図１の１４に対応），２４は無効データレジスタ（図１の無効データ発生部１２に対応），２５はダミーＡＡＵレジスタ（ダミーＡＡＵ発生部１３に対応），２６は選択部（ＳＥＬで表示），２７はビデオＰＥＳ抽出書込制御部，２８はビデオバッファである。
【００２１】
図５は図４の各部のデータのタイミングチャートを示し，図５を参照しながら動作を説明すると，ＭＰＥＧデコーダに入力するＭＰＥＧストリームは，ＰＥＳ（Ｐａｋｅｔｉｚｅｄ  Ｅｌｅｍｅｎｔａｒｙ  Ｓｔｒｅａｍ）パケットという単位で図５の（ａ）  に示すビデオとオーディオのデータが多重化された構成となっている。
【００２２】
ＭＰＥＧデコーダ１のＡＶ分離部２で，ＰＥＳヘッダのユニークワードを抽出して，ＰＥＳヘッダの内容を参照してビデオパケットかオーディオパケットかを識別して，ＰＥＳヘッダを省いたデータを，ビデオの場合はビデオＰＥＳ抽出書込制御部２７の制御によりビデオバッファ２８に書込まれ，オーディオの場合はオーディオＰＥＳ抽出書込制御部２０の制御により図５の（ｂ）  に示すタイミングでＡＡＵバッファ２１に書込まれる。ＡＡＵ読出・ダミー挿入制御部２２はＡＡＵバッファ２１に対してＡＡＵデータの読出し信号を図５の（ｃ）  に示すように出力すると，ＡＡＵバッファ２１からＡＡＵデータが図５の（ｄ）  のように読出され，図５の（ｊ）  に示す選択信号が“Ｈ”であるため選択部２３はＡＡＵバッファ２１を選択するよう切替えられるため，図５の（ｋ）  に示すオーディオストリームの中のＡＡＵデータが選択部２３から出力される。一つのＡＡＵデータが出力されると，ＡＡＵ読出・ダミー挿入制御部２２は無効データレジスタ２４に対して図５の（ｆ）  に示す読出し制御信号を出力することで，無効データ（オール“０”）が出力され，この時選択部２６にＡＡＵ読出・ダミー挿入制御部２２から“Ｌ”信号が出力されているので，選択部２６から選択部２３へ入力される。選択部２３はこの時，ＡＡＵ読出・ダミー挿入制御部２２から図５の（ｊ）  に示すように“Ｌ”が供給されるので，選択部２６の出力を選択するよう切替えられて，無効データ（“０”）が図５の（ｋ）  に示すオーディオストリームとして出力される。
【００２３】
この無効データレジスタ２４からの無効データの読出しに続いて，ＡＡＵ読出・ダミー挿入制御部２２はダミーＡＡＵレジスタ２５に対して図５の（ｇ）  に示す読出し制御信号を出力することで，ダミーデータ（ヘッダ＋オール“１”）が図５の（ｈ）  に示すように読出される。この時，選択部２６に対してＡＡＵ読出・ダミー挿入制御部２２から図５の（ｉ）  に示すように“Ｈ”信号が供給されるので，ダミーＡＡＵレジスタ２５の出力が選択され，選択部２３（この時，選択制御信号（ｊ）  は“Ｌ”で選択部２６の出力を選択する状態）からオーディオストリームとして図５の（ｋ）  のようにダミーデータが出力される。このようにして，  出力オーディオストリームとして図５の（ｋ）  の例では，ＡＡＵ，無効データ（オール“０”），ダミーデータ（ヘッダとオール“１”），ＡＡＵ，無効データ，ダミーデータからなるブロックＡ１が出力され，一定時間の間隔をおいて次のブロックＡ２が出力される。
【００２４】
このようにして，図４に示すＡＶ分離部から出力されたオーディオストリームは，図３に示すＳＤＲＡＭ５のオーディオストリームバッファ５１へ蓄積される。
【００２５】
図６は本発明によるオーディオストリームバッファの蓄積状態である。図６に示すように有効ＡＡＵ♯０，無効データ（オール“０”），ダミーＡＡＵ（ヘッダ＋オール“１”），有効ＡＡＵ♯１，無効データ，ダミーＡＡＵ，……と順次連続して蓄積される。
【００２６】
図６に示すようにオーディオストリームバッファに蓄積されたデータ量が予めＳＤＲＡＭ５からオーディオデコーダ３への転送を開始するのに必要なデータ量に達すると，図３のオーディオデコーダ３へ転送される。
【００２７】
図３のオーディオデコーダ３は，擬似フレーム同期機能を備え，図７に示す同期引き込み状態遷移図により同期制御を行う。すなわち，上記図６に示すオーディオストリームバッファから順に読出されたデータ列（上記図２と同様の配列）に対し，図７に示す状態遷移による同期引き込みの制御を行う。すなわち，オーディオデコーダは，無効データ（オール“０”）が入力すると同期外れ状態６０となり，次のダミーＡＡＵ（ヘッダ＋オール“１”）が入力するとヘッダを表す先頭パターンが検出されるので，同期引き込み中状態６１に遷移する。この同期引き込みのためには，前方保護段数が１個であるから，当該ダミーＡＡＵは破棄される。この同期引き込み中状態に続いてＡＡＵデータが入力するとヘッダの先頭パターンが検出できるので，同期状態６２に遷移して，当該ＡＡＵデータについてデコードする。このＡＡＵデータの後に無効データが入力すると，無効データにはヘッダがなく先頭パターン未検出であるため同期外れ状態６０に遷移する。
【００２８】
無効データとダミーＡＡＵのサイズ（長さ）の算出例を，ＭＰＥＧ１−ａｕｄｉｏについて説明する。最小ビットレートは３２Ｋｂｐｓ，最大ビットレートは３８４Ｋｂｐｓである。ＡＡＵは１１５２サンプルのＰＣＭ符号化したサイズなので，サンプリングレート４８ＫＨｚ時の最小，最大ビットレートのそれぞれＡＡＵサイズは，次のようになる。
【００２９】
３２０００×１１５２／４８０００／８＝９６バイト
３８４０００×１１５２／４８０００／８＝１１５２バイト
そこで，どのようなビットレートであっても，最大ビットレート時と同じ遅延時間となるように，ダミーデータサイズ（無効データ＋ダミーＡＡＵのサイズ）を決定する。この例ではダミーＡＡＵのサイズを９６バイト固定として，その前に挿入する無効データのサイズを調整する。ビットレートがＲの場合，無効データサイズＤ（バイト）は，次の式で算出される。
【００３０】
Ｄ＝１１５２−９６−（Ｒ×１１５２／４８０００／８）
つまり，いかなるビットレートであっても，最大ビットレートと同じだけのＡＡＵ間隔となり，デコード遅延時間が最大ビットレートと等しくなる。なお，最大ビットレートの３８４Ｋｂｐｓの場合，Ｄ＝−９６になる。
【００３１】
（付記１）  ＭＰＥＧ符号から圧縮されたオーディオデータをビデオデータと分離して所定個数分のオーディオデータがＲＡＭに蓄積されると擬似フレーム同期機能を備える復号部に転送するためのオーディオデータの分離方法において，分離されたオーディオデータをユニット単位に一時格納したバッファから読み出して出力し，前記バッファからの読出しに続いて無効データを一定長だけ出力し，前記無効データに続いて前記オーディオデータと同じフォーマットのユニット単位のダミーデータを出力し，前記出力された一連の各データにより転送単位のデータをＲＡＭに蓄積することを特徴とするオーディオデータの分離方法。
【００３２】
（付記２）  付記１において，無効データは前記復号部へ入力すると同期外れ状態に遷移するデータにより構成し，前記ダミーデータは，正規のオーディオデータのユニットと同じ特定パターンを先頭に含み，前記復号部において同期信号を検出した状態になることを特徴とするオーディオデータの分離方法。
【００３３】
（付記３）  付記２において，前記復号部は，同期外れ状態から同期状態へ遷移するための前方保護のカウント数を「１」とし，同期状態から同期外れ状態へ遷移するための後方保護のカウント数を「０」とすることを特徴とするオーディオデータの分離方法。
【００３４】
（付記４）  擬似フレーム同期保護機能をもつ受信部に入力するデータに対し，同期を一時的に外すことを目的として生成したダミーデータと，再同期を行うことを目的として生成したダミーフレームデータの２種類を，フレームデータ間に挿入することを特徴としたダミーデータ挿入方法。
【００３５】
（付記５）  所定長以上のデータが蓄積された場合に蓄積した所定長のデータを転送する記憶手段と，該記憶手段から転送されたデータを受信してデコードするデコーダであって，転送されたデータに含まれる所定パターンの検出により，次の所定パターンを検出し，少なくとも連続してｎ回（ｎは２以上の自然数）の該検出を行った場合に該ｎ回目に検出した所定パターンに対応するデータをデコード対象とし，転送されたデータに含まれる所定パターンに対応するデータをデコード対象としないデコーダとを備えた復号装置において，前記記憶手段に，デコード対象とするデータ間にデコードの対象としないデータを配置して蓄積する際に，デコードの対象としないデータは一部に１つの前記所定のパターンを含み，前記デコーダが，該１つの所定のパターンの検出により次のデコードの対象とするデータの最初の所定パターンの検出を可能とするデータ挿入手段，を備えたことを特徴とする復号装置。
【００３６】
（付記６）  ＭＰＥＧストリームから圧縮されたオーディオデータをビデオデータと分離して所定個数分の転送単位のデータをＲＡＭに蓄積して擬似フレーム同期機能を備える復号部に転送されて復号を行うためのオーディオデータの分離装置において，分離されたオーディオデータを一時格納するバッファと，無効データを発生する無効データ発生部と，前記オーディオデータと同じフォーマットのダミーデータ発生部と，前記バッファ，無効データ発生部及びダミーデータ発生部の出力を入力とする選択部と，前記選択部と前記バッファ，無効データ発生部及びダミーデータ発生部の動作を制御する読出制御部とを備え，前記読出制御部は，前記選択部を制御して前記バッファからオーディオデータの出力に続いて，前記無効データ発生部の出力，前記ダミーデータ発生部の出力を順に選択して前記ＲＡＭに蓄積することを特徴とするオーディオデータの分離装置。
【００３７】
（付記７）  付記６において，前記無効データ発生部と前記ダミーデータ発生部の出力が入力される他の選択部を設け，該他の選択部で選択された信号の出力を前記選択部へ分離されたオーディオデータを一時格納するバッファと並列に入力することを特徴とするオーディオデータの分離装置。
【００３８】
【発明の効果】
本発明によれば，オーディオストリームのＡＡＵの間に無効データとダミーＡＡＵの２種類のダミーデータを挿入することで，低ビットレートでも，デコード時の遅延時間の増加を防止することができる。
【図面の簡単な説明】
【図１】本発明の原理構成を示す図である。
【図２】本発明による無効データとダミーＡＡＵを挿入した信号列の例を示す図である。
【図３】本発明によるＡＶ分離部を含むＭＰＥＧデコーダの構成を示す図である。
【図４】ＡＶ分離部の実施例の構成を示す図である。
【図５】図４の各部のデータのタイミングチャートを示す図である。
【図６】本発明によるオーディオストリームバッファの蓄積状態を示す図である。
【図７】同期引き込みの状態遷移を示す図である。
【図８】従来のＭＰＥＧデコーダの構成例を示す図である
【図９】オーディオストリームバッファの蓄積状態を示す図である
【符号の説明】
１０    読出制御部
１１    ＡＡＵバッファ
１２    無効データ発生部
１３    ダミーＡＡＵ発生部
１４    選択部
【図１】
2004350091.tif 000003
【図２】
2004350091.tif 000004
【図３】
2004350091.tif 000005
【図４】
2004350091.tif 000006
【図５】
2004350091.tif 000007
【図６】
2004350091.tif 000008
【図７】
2004350091.tif 000009
【図８】
2004350091.tif 000010
【図９】
2004350091.tif 000011